(57)【要約】      （修正有） 【課題】見る者に、より大きな訴求力を持ち、さらに広告効果を上げることが可能な情報表示装置を提供する。【解決手段】情報シート１１を載置し得ると共に情報シート１１を背面側から発光させて照射しうる基板部１２と、基板部１２の四辺部に設けられ、情報シート１１を基板部１２上に固定し得る枠体部１４とを備えた情報表示装置１０であって、枠体部１４は、情報シート１１の周縁部を基板部１２に着脱可能に固定し得る枠体固定部１７ａ〜１７ｄと、情報シート１１の周囲において発光する枠体発光部１６とを備えている。【選択図】図４
0003208421.tif 000002
【実用新案登録請求の範囲】
【請求項１】
情報シートを載置し得ると共に前記情報シートを背面側から発光させて照射しうる基板部と、前記基板部の四辺部に設けられ、前記情報シートを基板部上に固定し得る枠体部とを備えた情報表示装置であって、前記枠体部は、前記情報シートの周縁部を前記基板部に着脱可能に固定し得る枠体固定部と、前記情報シートの周囲において発光する枠体発光部とを備えていることを特徴とする情報表示装置。
【請求項２】
前記基板部は全体方形状に形成されると共に、前記枠体固定部は情報シートの四辺部を固定しうるように前記基板部の四辺部に設けられ、前記枠体発光部は前記枠体固定部の外方に配置されていることを特徴とする請求項１記載の情報表示装置。
【請求項３】
前記基板部は長方形状に形成されていると共に、前記発光部及び枠体発光部はＬＥＤにより構成されていることを特徴とする請求項２記載の情報表示装置。
【請求項４】
前記枠体発光部からの発光は、点灯状態と点滅状態の切り替え制御をし得るように構成されていることを特徴とする請求項３記載の情報表示装置。
【請求項５】
前記枠体部には、接地面部上に枠体部を載置固定し得る脚部が設けられていることを特徴とする請求項１記載の情報表示装置。
【請求項６】
前記情報シートは、バックライトフィルムにより形成されていることを特徴とする請求項１記載の情報表示装置。
【考案の詳細な説明】
【技術分野】
【０００１】
本考案は情報表示装置の改良に関する。
【背景技術】
【０００２】
一般に、表面側に設けられた所定の大きさの情報表示部と、情報表示部の背面側に備えられた光源部とを備え、前記情報表示部の背面側から光源部の光を照射して前記情報表示部を浮き上がらせ、視認者の目につきやすくした情報表示装置が存在する（特許文献１参照）。
【０００３】
しかしながら、このような従来の情報表示装置にあっては、光源部の発光により情報表示部を背面側から照射して各種情報を浮き上がらせるように構成されており一定の広告効果はあるが、大衆への訴求力という点で、さらに改良された情報表示装置が要請されていた。
【先行技術文献】
【特許文献】
【０００４】
【特許文献１】特許第５４９６８３１号公報
【考案の概要】
【考案が解決しようとする課題】
【０００５】
本考案はこのような従来からの不具合を解決するためのものであって、その課題は、見る者に、より大きな訴求力を持ち、さらに広告効果を上げることが可能な情報表示装置を提供することにある。
【課題を解決するための手段】
【０００６】
前記課題達成のため、請求項１記載の考案にあっては、情報シートを載置し得ると共に前記情報シートを背面側から発光させて照射しうる基板部と、前記基板部の四辺部に設けられ、前記情報シートを基板部上に固定し得る枠体部とを備えた情報表示装置であって、前記枠体部は、前記情報シートの周縁部を前記基板部に着脱可能に固定し得る枠体固定部と、前記情報シートの周囲において発光する枠体発光部とを備えていることを特徴とする。
【０００７】
従って、請求項１記載の考案にあっては、様々な広告情報等が記載された情報シートを、前記枠体固定部により前記基板部上に固定し、発光部を発光させることにより情報シートを背面側から照射して情報シートに記載された文字、図形等を浮き上がらせて表示することができる。また、前記枠体発光部を発光させることにより前記情報シートを周囲から浮き上がらせて表示させることができる。
【０００８】
請求項２記載の考案にあっては、前記基板部は全体方形状に形成されると共に、前記枠体固定部は情報シートの四辺部を固定しうるように前記基板部の四辺部に設けられ、前記枠体発光部は前記枠体固定部の外方に配置されていることを特徴とする。
【０００９】
請求項３記載の考案にあっては、前記基板部は長方形状に形成されていると共に、前記発光部及び枠体発光部はＬＥＤにより構成されていることを特徴とする。従って、請求項３記載の考案にあっては、発光部はＬＥＤにより構成されていることから、光度の大きい光で発光させることが可能となる。
【００１０】
請求項４記載の考案にあっては、前記枠体発光部からの発光は、点灯状態と点滅状態を切り替え得るように構成されていることを特徴とする。
【００１１】
請求項５記載の考案にあっては、前記枠体部には、接地面部上に枠体部を載置固定し得る脚部が設けられていることを特徴とする。
【００１２】
請求項６記載の考案にあっては、前記情報シートは、バックライトフィルムにより形成されていることを特徴とする。
【考案の効果】
【００１３】
請求項１記載の考案にあっては、情報シートを背面側から発光部により照射させて情報シートに記載された文字や図形を浮かび上がらせて表示させることが可能になると共に、枠体発光部を発光させることにより情報シートの存在そのものを強調させて表示させ、見る者に、より訴求力を持った形で情報を喚起することができる。
【００１４】
請求項２記載の考案にあっては、前記基板部は全体方形状に形成されると共に、前記枠体固定部は情報シートの四辺部を固定しうるように前記基板部の四辺部に設けられ、前記枠体発光部は前記枠体固定部の外方に配置されていることから、適宜、様々な情報シートを着脱可能に基板部上に固定して広告表示し、情報発信させることが可能となると共に、枠体発光部を発光させることにより、
大衆に対して、枠体固定部の外方から情報シートを浮き上がらせて見せることが可能となる。
【００１５】
請求項３記載の考案にあっては、発光部はＬＥＤにより構成されていることから、光度の大きい光で発光させることが可能となるため、より情報シートを際立たせて効率よく情報伝達を行うことができる。
【００１６】
請求項４記載の考案にあっては、前記枠体発光部からの発光は、点灯状態と点滅状態を切り替え得るように構成されていることから、発光制御により様々な状態に変化させることができ、趣向に富んだ情報発信を行うことができる情報表示装置を提供することが可能となる。
【００１７】
請求項５記載の考案にあっては、前記枠体部には、接地面部上に枠体部を載置固定し得る脚部が設けられていることから、大型の基板部を備えている場合であっても、例えば、店頭や会場前において床面又は地面上に設置して使用することができ、多様な使用の要請に応えることができる。
【００１８】
請求項６記載の考案にあっては、前記情報シートはバックライトフィルムにより形成されていることから、情報シートは背面側からの光の透過率が大きく、情報シートに記載されている文字又は図形を鮮やかに浮かび上がらせることができ、より情報伝達の効率を良好なものとすることが可能となる。
【図面の簡単な説明】
【００１９】
【図１】本考案に係る情報表示装置の一実施の形態を示す斜視図である。
【図２】本考案に係る情報表示装置の一実施の形態を部分的に示す斜視図である。
【図３】本考案に係る情報表示装置の一実施の形態を示し、枠体発光部のＬＥＤランプを点灯させた状態を示す図である。
【図４】本考案に係る情報表示装置の一実施の形態を示す斜視図であって、枠体固定部を開き、情報シートを装着する状態を示す図である。
【図５】本考案に係る情報表示装置の他の実施の形態を示す斜視図である。
【考案を実施するための形態】
【００２０】
以下、添付図面に示す実施の形態に基づき、本考案を詳細に説明する。
図１に示すように、本実施の形態に係る情報表示装置１０は、情報シート１１を載置し得ると共に情報シート１１を背面側から発光させて照射しうる基板部１２と、基板部１２の四辺部に設けられ、情報シート１１を基板部１２上に固定し得る枠体部１４とを備えている。
【００２１】
本実施の形態にあっては、基板部１２は全体縦長長方形状に形成され、縦長に形成され、図４に示すような、様々な文字その他図形等の情報が記載された、掲示物等としての情報シート１１を装着し得ると共に、内装された発光部（図示せず）からの光を表面側に照射しうる導光板を備えている。なお、情報シート１１はバックライトフィルムにより形成されている場合には照射光が良好に透過し、情報シート１１に記載された文字又は図形を表面側に明りょうに浮かびあがらせることが可能となる。
本実施の形態にあっては、枠体部１４は、長方形枠状の金属製のフレーム部１５と、フレーム部１５内方に固定され、同様に長方形枠状に形成され、装着された情報シート１１の周囲において発光する枠体発光部１６と、情報シート１１の周縁部を基板部に対して着脱可能に固定しうる枠体固定部１７とを備えている。
【００２２】
本実施の形態にあっては、枠体発光部１６は合成樹脂製の黒色パネル部１９を有し、図２に示すように、内部にはＬＥＤランプ１８が長さ方向に沿って所定間隔を置いて多数配設されている。これらの多数のＬＥＤランプは図示しない内装されたコントローラおよび制御スイッチ部２０を介して電源に接続されており、制御スイッチ部２０を適宜操作することにより、点灯又は点滅制御できるように構成されている。
【００２３】
前記ＬＥＤランプ１８は黒色パネル部１９内に配設されていることから、スイッチ部２０をオン動作しない場合には、黒色パネル部１９内に埋没し、外部からはその存在は視認できないため、黒色パネル部１９はデザイン的なアクセントとして機能する。一方、制御スイッチ部２０をオン動作した場合には、図３に示すように、情報シート装着面部１３を枠体固定部１７を介して四片部周縁外方から包囲するように多数配置されている状態が明確に視認することができるように配置されている。
【００２４】
即ち、本実施の形態にあっては、ＬＥＤランプ１８は、ホワイト、ブルー、グリーン、イエロー、レッド、ライトブルー、パープル色に点灯させることができると共に、適宜、これらの色彩を複数種類、急速又はゆっくりと切り替えて点灯させることができ、さらに、ブルー、レッド、グリーンの間で適宜切り替えて点滅させることもでき、ホワイトに関しては、急速に点滅又はゆっくりと点滅、又は点灯から微点灯へ徐々にグラデーションを以て、急速又は緩やかに変化するようにすることもできるように制御可能に構成されている。
【００２５】
枠体固定部１７は、枠体発光部１６の四辺部に対応するように、夫々、四分割されて設けられており、いずれも、枠体発光部１６の長さ方向に沿って、枠体発光部１６の内方に配設され、図示されない軸部を介して枠体部１４の幅方向に沿って回動して開放又は閉止すると共に、図示されない付勢手段により常時、基板部１２方向に付勢され閉止状態となるように取り付けられている。
従って、図１及び図３に示すように、四つの枠体固定部１７ａ、１７ｂ、１７ｃ、１７ｄにより基板部１２上に情報シート装着面部１３が画成される。図４に示すように、情報シート１１の装着時には、四つの枠体固定部１７ａ、１７ｂ、１７ｃ、１７ｄを開き、情報シート１１を情報シート装着面部１３に載置し、四つの枠体固定部１７ａ、１７ｂ、１７ｃ、１７ｄを閉じることにより情報シート１１の四辺部を挟み固定することにより装着するように構成されている。
【００２６】
以下、本実施の形態に係る情報表示装置１０の作用について説明する。
情報表示装置１０を使用する場合には、図４に示すように、枠体固定部１７ａ、１７ｂ、１７ｃ，１７ｄを開き、情報シート装着面部１３に情報シート１１を載置した後、枠体固定部１７ａ、１７ｂ、１７ｃ，１７ｄを閉じ、情報シート１１の四辺部を挟み固定することにより情報シート１１を情報表示装置１０に装着する。
【００２７】
次に、使用者が図２に示す制御スイッチ部２０をオン操作することにより、図示しない発光部に電源コード２１を介して電源を供給して発光部を作動させ、情報シート１１の背面側から表面側に向けてＬＥＤによる光を照射させる。この状態で、情報シート装着面部１３に装着された情報シート１１は背面側から光を照射されていることから、情報シート１１に記載された文字、図形等が紙面上に浮かび上がり、極めて明瞭に文字、図形等が表示され、通行人等は情報シート１１の各種情報を明確に、かつ大きな注意喚起を伴った形で視認することができる。
【００２８】
また、使用者がさらに制御スイッチ部２０をオン操作した場合には、枠体発光部１６を作動させることができる。この場合には、ブルー→グリーン→イエロー→レッドの順に緩やかにグラデーションを介しつつ点灯変化させることができる。また、さらに、制御スイッチ部２０をオン操作した場合には、ホワイト、グリーン、ブルー、レッド、イエロー、ライトブルー、パープルの常点灯をさせることもでき、更に、制御スイッチ部２０をオン操作した場合には、ブルー→レッド→グリーンの順番で速い速度又は遅い速度での切り替え制御等が可能であり、さらに、制御スイッチ部２０のオン操作により、ピンク→イエロー→ライトブルーの切り替え発光制御が可能となり、さらに重ねて制御スイッチ部２０のオン操作をすることによりブルーの５回点滅→レッド５回点滅→グリーン５回点滅、ホワイトの速い点滅又は遅い点滅制御、ホワイト全点灯から微点灯へグラデーションにより速く又は遅く変化する制御が可能である。
【００２９】
従って、枠体発光部１６が作動した場合には、装着された情報シート１１の周囲において包囲するように配設された多数のＬＥＤランプ１８が様々な色彩により変化を以て発光することから、情報表示装置１０が例えば、通行人の目に入る部位に配置された場合には、情報シート１１の情報を通行人の目を引く形で表示することができ、訴求力を持った形で情報を提供することが可能となる。
【００３０】
本実施の形態に係る情報表示装置１０にあっては、基板部１２の背面部側に適宜の構造の係止部を設けた場合には壁面部等に掲示することができるが、例えば、図５に示すように、基板部２４の背面部に脚部２２を設けることにより、例えば、床面、又は商店の玄関等の地面上に設置することもできる。
本実施の形態に係る情報表示装置２３にあっては、基板部２４がより大型に形成されており、床面、又は地面上に直接載置して使用することに適している。
【産業上の利用可能性】
【００３１】
本考案は情報シートを装着して情報を表示し得る情報表示装置であることから、産業上の利用可能性を有している。
【符号の説明】
【００３２】
１０  情報表示装置
１１  情報シート
１２  基板部
１３  情報シート装着面部
１４  枠体部
１５  フレーム部
１６  枠体発光部
１７  枠体固定部
１８  ＬＥＤランプ
１９  黒色パネル部
２０  制御スイッチ部
２１  電源コード
２２  脚部
２３  情報表示装置
２４  基板部
【図１】
0003208421.tif 000003
【図２】
0003208421.tif 000004
【図３】
0003208421.tif 000005
【図４】
0003208421.tif 000006
【図５】
0003208421.tif 000007
【手続補正書】
【提出日】平成28年11月8日(2016.11.8)
【手続補正１】
【補正対象書類名】実用新案登録請求の範囲
【補正対象項目名】請求項１
【補正方法】変更
【補正の内容】
【請求項１】
情報シートを載置し得ると共に前記情報シートを背面側から発光させて照射しうる発光部を有する基板部と、前記基板部の四辺部に設けられ、前記情報シートを基板部上に固定し得る枠体部とを備えた情報表示装置であって、前記枠体部は、前記情報シートの周縁部を前記基板部に着脱可能に固定し得る枠体固定部と、前記情報シートの周囲において発光する枠体発光部とを備えていることを特徴とする情報表示装置。
【手続補正２】
【補正対象書類名】明細書
【補正対象項目名】０００６
【補正方法】変更
【補正の内容】
【０００６】
前記課題達成のため、請求項１記載の考案にあっては、情報シートを載置し得ると共に前記情報シートを背面側から発光させて照射しうる発光部を有する基板部と、前記基板部の四辺部に設けられ、前記情報シートを基板部上に固定し得る枠体部とを備えた情報表示装置であって、前記枠体部は、前記情報シートの周縁部を前記基板部に着脱可能に固定し得る枠体固定部と、前記情報シートの周囲において発光する枠体発光部とを備えていることを特徴とする。